(57)【特許請求の範囲】
【請求項１】
ショート・メッセージ・サービス（ＳＭＳ）メッセージを配信する方法であって、
モバイル交換センタ（ＭＳＣ）で移動局からＳＭＳメッセージを受信するステップと、
前記移動局について前記ＭＳＣとＭＭＥとの間のリンクが現在設定されていない場合、前記ＭＳＣで前記移動局を再登録するステップと、
前記ＭＳＣで前記移動局から第２のＳＭＳメッセージを受信するステップと、
前記第２のＳＭＳメッセージを配信するステップと
を含む方法。
【請求項２】
前記リンクがＳＧｓ関連付けである、請求項１に記載のショート・メッセージ・サービス（ＳＭＳ）メッセージを配信する方法。
【請求項３】
前記移動局に関連するモバイルＶＬＲ記録が削除されたので前記ＳＧｓ関連付けがヌルである、請求項２に記載のショート・メッセージ・サービス（ＳＭＳ）メッセージを配信する方法。
【請求項４】
前記ＭＳＣで前記移動局から第２のＳＭＳメッセージを受信する前記ステップが、タイマの満了時に前記第２のＳＭＳメッセージを受信するステップを含む、請求項１に記載のショート・メッセージ・サービス（ＳＭＳ）メッセージを配信する方法。
【請求項５】
モバイル交換センタ（ＭＳＣ）とＭＭＥとの間の関連付けを再確立する方法であって、
モバイル交換センタ（ＭＳＣ）で移動局からＳＭＳメッセージを受信するステップと、
前記移動局について前記ＭＳＣとＭＭＥとの間のリンクが現在設定されていない場合、前記ＭＳＣから前記ＭＭＥに警報要求を送るステップと、
前記ＭＭＥでのリンクをＮＵＬＬに設定するステップと、
前記移動局からトラッキング・エリア更新メッセージを受信するステップと、
前記ＭＳＣで前記移動局を再登録するステップと
を含む方法。
【請求項６】
前記ＭＭＥから前記ＭＳＣに位置更新を送るステップをさらに含む、請求項５に記載のモバイル交換センタ（ＭＳＣ）とＭＭＥとの間の関連付けを再確立する方法。
【請求項７】
前記ＭＳＣで前記移動局から第２のＳＭＳメッセージを受信するステップをさらに含む、請求項５に記載のモバイル交換センタ（ＭＳＣ）とＭＭＥとの間の関連付けを再確立する方法。
【請求項８】
前記移動局について前記ＭＭＥでの信頼性フラグを「偽」設定するステップをさらに含む、請求項５に記載のモバイル交換センタ（ＭＳＣ）とＭＭＥとの間の関連付けを再確立する方法。
【請求項９】
前記移動局について前記ＭＳＣとＭＭＥとの間のリンクが現在設定されていない場合に前記ＭＳＣから前記ＭＭＥに警報要求を送る前記ステップが、前記移動局に関連するＶＬＲ記録が削除されたことを判定するステップを含む、請求項５に記載のモバイル交換センタ（ＭＳＣ）とＭＭＥとの間の関連付けを再確立する方法。
【請求項１０】
前記トラッキング・エリア更新メッセージがＴＡ／ＬＡ（トラッキング・エリア／ロケーション・エリア）更新情報を含む、請求項５に記載のモバイル交換センタ（ＭＳＣ）とＭＭＥとの間の関連付けを再確立する方法。
【発明の詳細な説明】
【技術分野】
【０００１】
本発明は、一般に通信システムに関し、より詳細にはショート・メッセージ・サービス（ＳＭＳ）に関する。
【背景技術】
【０００２】
ショート・メッセージ・サービス（ＳＭＳ）は、通信システムで非常に人気のある機能となっている。ＳＭＳメッセージは時間依存ではないので、通常は確認メッセージがＳＭＳメッセージの送信側に送信されない。
【０００３】
現在のところ、３Ｇモバイル交換センタ（ＭＳＣ）が移動局からＳＭＳメッセージを受信したとき、４Ｇ  Ｌｏｎｇ  Ｔｅｒｍ  Ｅｖｏｌｕｔｉｏｎ（ＬＴＥ）  ＭＭＥと３Ｇ  ＭＳＣとの間のＳＧｓインターフェースの状態がヌルである場合、３Ｇ  ＭＳＣはＳＭＳ要求を無視することになる。したがって、３Ｇ  ＭＳＣはＭＭＥに失敗通知を送らない。ＭＭＥがＳＭＳメッセージの元の送信側ではなかったので、ＭＭＥは、ＳＭＳメッセージに関するタイムアウト・タイマを設定していないことになる。
【０００４】
したがって上記のシナリオでは、送信側移動局は、ＳＭＳメッセージが配信されなかったことを示す失敗通知を３Ｇ  ＭＳＣから受信しないことになる。さらに、ＭＭＥは、移動局に関する３Ｇ−ＭＳＣとの関連付けが依然として存続すると仮定し、移動局が発信したＳＭＳメッセージを引き続き３Ｇ−ＭＳＣに渡すことになる。しかし、ＭＳＣはＳＭＳ要求を引き続き無視することになる。この状況は、通知されることなく最大で数時間またはそれ以上続く可能性がある。
【発明の概要】
【発明が解決しようとする課題】
【０００５】
したがって、４Ｇ  ＬＴＥ  ＭＭＥと３Ｇ  ＭＳＣとの間のＳＧｓインターフェースの状態が動作不能であるとき、移動局からＳＭＳメッセージを確実に送る方法およびシステムが求められている。
【課題を解決するための手段】
【０００６】
本発明の例示的実施形態は、移動局を再登録する方法を提供する。移動局は、ｅＮｏｄｅＢにＳＭＳメッセージを送信することによってＳＭＳメッセージを開始する。移動局は、確認メッセージが適時に受信されない場合にメッセージの再送を支援するためにタイムアウト・タイマを開始することができる。
【０００７】
ｅＮｏｄｅＢは、ＭＭＥにＳＭＳメッセージを渡し、ＭＭＥは、ＭＳＣとの間のＳＧｓ関連付けをチェックする。ＭＭＥとＭＳＣとの間のＳＧｓ関連付けがＭＭＥでアクティブである場合、ＭＭＥはＳＭＳメッセージをカプセル化し、それをＭＳＣに送る。
【０００８】
ＶＬＲ過負荷制御または他の管理上の理由で、移動局に関連するＶＬＲ記録が削除されるとき、あるいはＳＧｓ関連付けがＳＧｓ−ＮＵＬＬに等しいときなど、ＭＭＥとＭＳＣとの間のＭＳＣ上のＳＧｓ関連付けが現在設定されていない状況では、ＭＳＣは移動局を再登録する。再登録は、ＭＳＣとＭＭＥとの間のＭＳＣでのＳＧｓ関連付けを再確立する。
【０００９】
タイムアウト・タイマの満了時に、移動局はＳＭＳメッセージを再送する。あるいは、ＭＳＣでの登録中にＳＭＳメッセージを格納し、登録が完了した後にＭＳＣによって再送することもできる。この代替実施形態では、移動局は、タイムアウト・タイマを開始し、またはＳＭＳメッセージを再送する必要がない。
【００１０】
ｅＮｏｄｅＢはＭＭＥにＳＭＳメッセージを渡し、ＭＭＥはＳＭＳメッセージをカプセル化し、それをＭＳＣに送る。
【００１１】
ＭＳＣは、ＭＳＣとＭＭＥとの間のＳＧｓ関連付けをチェックする。ＭＳＣは移動局を再登録し、ＭＳＣとＭＭＥとの間のＳＧｓ関連付けを再確立したので、ＭＳＣは、ＡｃｋメッセージでＳＭＳメッセージの受信について肯定応答する。ＭＭＥは、ダウンリンクＡｃｋメッセージを介してｅＮｏｄｅＢに肯定応答を渡す。ｅＮｏｄｅＢは、移動局に肯定応答を渡す。ＭＳＣはまた、ＳＭＳ−ＩＷＭＳＣにＳＭＳメッセージを配信する。確認メッセージを移動局に送り、ＳＭＳメッセージの配信の成功を示すことができる。
【００１２】
代替実施形態では、移動局に位置更新を実施させることにより、ＳＧｓリンクが非動作中にＳＭＳメッセージを首尾よく配信することができる。
【００１３】
移動局は、ｅＮｏｄｅＢにＳＭＳメッセージを送ることによってＳＭＳを開始する。ｅＮｏｄｅＢは、ＭＭＥにＳＭＳメッセージを渡す。ＭＭＥは、ＭＳＣとの間のＳＧｓ関連付けをチェックする。ＭＭＥとＭＳＣとの間のＳＧｓ関連付けがＭＭＥでアクティブである場合、ＭＭＥはＳＭＳメッセージをカプセル化し、ＭＳＣにＳＭＳメッセージを送る。
【００１４】
この例示的実施形態では、ＭＭＥとＭＳＣとの間のＭＳＣ上のＳＧｓ関連付けが、ＭＳＣで現在設定されていない。典型的な通信システムでは、ＭＳＣはＳＭＳ要求を無視する。例示的実施形態によれば、ＭＳＣは、ＭＭＥとＭＳＣとの間のＭＳＣ上のＳＧｓ関連付けが現在設定されていないことをＭＭＥに示すエラー・メッセージをＭＭＥに送る。
【００１５】
ＭＭＥでのエラー・メッセージの受信時に、ＭＭＥは、ＭＭＥでのＳＧｓ関連付けをＮＵＬＬに設定し、さらに、好ましくは、移動局に関するＭＳＣ／ＶＬＲ信頼性フラグを「ＦＡＬＳＥ」に設定する。
【００１６】
移動局は、Ｔｒａｃｋｉｎｇ  Ａｒｅａ  Ｕｐｄａｔｅメッセージを、好ましくは組合せＴＡ／ＬＡ（トラッキング・エリア／ロケーション・エリア（Ｔｒａｃｋｉｎｇ  Ａｒｅａ／Ｌｏｃａｔｉｏｎ  Ａｒｅａ））更新と共に送る。ｅＮｏｄｅＢは、ＭＭＥにＴｒａｃｋｉｎｇ  Ａｒｅａ  Ｕｐｄａｔｅメッセージを渡す。
【００１７】
Ｔｒａｃｋｉｎｇ  Ａｒｅａ  Ｕｐｄａｔｅメッセージに応答して、ＭＭＥは、ＭＳＣにＬｏｃａｔｉｏｎ  Ｕｐｄａｔｅメッセージを送る。Ｌｏｃａｔｉｏｎ  Ｕｐｄａｔｅメッセージに応答して、ＭＳＣは、ＭＭＥとＭＳＣとの間のＳＧｓ関連付けを再確立することができるように移動局を再登録する。
【００１８】
ＭＳＣでのＭＭＥとＭＳＣとの間のＳＧｓ関連付けが適切に確立されるので、このとき移動局によって送られるＳＭＳメッセージを適切に配信することができる。
【図面の簡単な説明】
【００１９】
【図１】本発明の例示的実施形態による通信システムの一部分を示す図である。
【図２】本発明の例示的実施形態による、移動局を再登録することによってＳＭＳメッセージを配信する方法の流れ図である。
【図３】本発明の例示的実施形態による、位置更新を移動局に実施させることによってＳＭＳメッセージを配信する方法の流れ図である。
【発明を実施するための形態】
【００２０】
図１から３を参照して本発明の例示的実施形態をより良く理解することができる。図１に、本発明の例示的実施形態による通信システムの一部分１００を示す。部分１００は、移動局１０１、ｅＮｏｄｅＢ１０３、ＭＭＥ１０５、ＭＳＣ１０７、およびＳＭＳ−ＩＷＭＳＣ（ＳＭＳ  Ｉｎｔｅｒｗｏｒｋｉｎｇ  ＭＳＣ）１０９を含む。
【００２１】
移動局１０１は、ワイヤレス・エア・インターフェースを使用して音声およびデータ通信をサポートするデバイスである。例示的実施形態では、移動局１０１は回線交換フォールバック（ＣＳＦＢ）移動局である。
【００２２】
ｅＮｏｄｅＢ１０３は、無線を介して移動局１０１と通信するＬＴＥ基地局である。
【００２３】
ＭＭＥ１０５は、セッション状態、認証、ページング、ＳＧＳＮノードとの間のモビリティ、ローミング、および他のベアラ管理機能を管理する。
【００２４】
ＭＳＣ１０７はモバイル交換センタである。例示的実施形態では、ＭＳＣ１０７は３Ｇ  ＭＳＣを含む。ＭＳＣ１０７は、音声サービスを提供し、移動端末が公衆交換電話網（ＰＳＴＮ）と通信することを可能にするネットワーク要素である。
【００２５】
ＳＭＳ−ＩＷＭＳＣ１０９は、モバイル・ネットワークからＳＭＳメッセージを受信することができ、適切なショート・メッセージ・サービス・センタ（ＳＭＳＣ）にＳＭＳメッセージをサブミットすることのできるＭＳＣである。
【００２６】
図２に、本発明の例示的実施形態による移動局１０１を再登録する方法の流れ図２００を示す。
【００２７】
移動局１０１は、ｅＮｏｄｅＢ１０３にＵｐｌｉｎｋ  ＮＡＳ  Ｔｒａｎｓｐｏｒｔ  ＳＭＳメッセージ２０１を送ることによってＳＭＳメッセージを開始する。例示的実施形態によれば、移動局１０１はタイムアウト・タイマを開始する。
【００２８】
ｅＮｏｄｅＢ１０３は、Ｕｐｌｉｎｋ  ＮＡＳ  Ｔｒａｎｓｐｏｒｔ  ＳＭＳメッセージ２０３を介してＭＭＥ１０５にＵｐｌｉｎｋ  ＮＡＳ  Ｔｒａｎｓｐｏｒｔ  ＳＭＳメッセージ２０１を渡す。
【００２９】
ＭＭＥ１０５は、ＭＳＣ１０７との間のＳＧｓ関連付けをチェックする。例示的実施形態では、ＭＭＥ１０５とＭＳＣ１０７との間のＳＧｓ関連付けはアクティブである。ＭＭＥ１０５は、ＳＧｓＡＰ  Ｕｐｌｉｎｋ  Ｕｎｉｄａｔａ（ＳＭＳ）２０５内にＵｐｌｉｎｋ  ＮＡＳ  Ｔｒａｎｓｐｏｒｔ  ＳＭＳメッセージ２０３をカプセル化し、ＭＳＣ１０７に送る。
【００３０】
この例示的実施形態では、ＭＭＥ１０５とＭＳＣ１０７との間のＭＳＣ１０７上のＳＧｓ関連付けが、現在設定されていない。第１の例示的実施形態では、例えばＶＬＲ過負荷制御または他の管理上の理由で、移動局１０１に関連するＶＬＲ記録が削除されるときに、このことが生じることがある。第２の例示的実施形態では、ＳＧｓ関連付けがＳＧｓ−ＮＵＬＬに等しいときに、このことが生じることがある。
【００３１】
現在の通信システムで生じるようにＳＭＳ要求を無視するのではなく、例示的実施形態によれば、ＭＳＣ１０７は移動局１０１を再登録する。再登録は、ＭＳＣ１０７とＭＭＥ１０５との間のＳＧｓ関連付けを再確立する。
【００３２】
タイムアウト・タイマの満了時に、移動局１０１は、Ｕｐｌｉｎｋ  ＮＡＳ  Ｔｒａｎｓｐｏｒｔ  ＳＭＳメッセージ２０１をＵｐｌｉｎｋ  ＮＡＳ  Ｔｒａｎｓｐｏｒｔ  ＳＭＳメッセージ２１１として再送する。あるいは、ＭＳＣ１０７での登録中にＵｐｌｉｎｋ  ＮＡＳ  Ｔｒａｎｓｐｏｒｔ  ＳＭＳメッセージ２０１を格納し、登録が完了した後にＭＳＣ１０７によって再送することもできる。この代替実施形態では、移動局１０１は、タイムアウト・タイマを開始し、またはＵｐｌｉｎｋ  ＮＡＳ  Ｔｒａｎｓｐｏｒｔ  ＳＭＳメッセージ２０１を再送する必要がなく、それにより、ネットワーク上の帯域幅が節約される。
【００３３】
ｅＮｏｄｅＢ１０３は、Ｕｐｌｉｎｋ  ＮＡＳ  Ｔｒａｎｓｐｏｒｔ  ＳＭＳメッセージ２１３を介してＭＭＥ１０５にＵｐｌｉｎｋ  ＮＡＳ  Ｔｒａｎｓｐｏｒｔ  ＳＭＳメッセージ２１１を渡す。
【００３４】
ＭＭＥ１０５は、ＳＧｓＡＰ  Ｕｐｌｉｎｋ  Ｕｎｉｄａｔａ（ＳＭＳ）メッセージ２１５内にＵｐｌｉｎｋ  ＮＡＳ  Ｔｒａｎｓｐｏｒｔ  ＳＭＳメッセージ２１３をカプセル化し、ＭＳＣ１０７に送る。
【００３５】
ＭＳＣ１０７はＳＧｓ関連付けをチェックする。ＭＳＣ１０７は移動局１０１を再登録し、ＳＧｓ関連付けを再確立したので、ＭＳＣ１０７は、ＳＧｓＡＰ  Ｄｏｗｎｌｉｎｋ  Ｕｎｉｄａｔａ（Ａｃｋ）メッセージ２１６でＳＧｓＡＰ  Ｕｐｌｉｎｋ  Ｕｎｉｄａｔａ（ＳＭＳ）メッセージ２１５の受信を確認する。ＭＭＥ１０５は、Ｄｏｗｎｌｉｎｋ  Ｕｎｉｄａｔａ（Ａｃｋ）メッセージ２１８を介してｅＮｏｄｅＢ１０３に肯定応答を渡す。ｅＮｏｄｅＢ１０３は、ＳＧｓＡＰ  Ｄｏｗｎｌｉｎｋ  Ｕｎｉｄａｔａ（Ａｃｋ）メッセージ２２０を介してＭＳ１０１に肯定応答を渡す。ＭＳＣ１０７はまた、ＳＭＳ−ＩＷＭＳＣ１０９にＳＧｓＡＰ  Ｕｐｌｉｎｋ  Ｕｎｉｄａｔａ（ＳＭＳ）メッセージ２１５をＦｏｒｗａｒｄＳＭＳメッセージ２１７として配信する。
【００３６】
ＳＭＳ−ＩＷＭＳＣ１０９は、ＭＳＣ１０７に配信報告（Ｄｅｌｉｖｅｒｙ  Ｒｅｐｏｒｔ）メッセージ２２１を送る。
【００３７】
ＭＳＣ１０７は、ＭＭＥ１０５にＳＧｓＡＰ  Ｄｏｗｎｌｉｎｋ  Ｕｎｉｄａｔａ（配信報告）メッセージ２２３を送る。
【００３８】
ＭＭＥ１０５は、ｅＮｏｄｅＢ１０３にＤｏｗｎｌｉｎｋ  ＮＡＳ  Ｔｒａｎｓｐｏｒｔ（配信報告）メッセージ２２５を送る。
【００３９】
ｅＮｏｄｅＢ１０３は、移動局１０１にＤｏｗｎｌｉｎｋ  ＮＡＳ  Ｔｒａｎｓｐｏｒｔ（配信報告）メッセージ２２７を送る。
【００４０】
図３に、本発明の例示的実施形態による、位置更新を移動局１０１に実施させることによってＳＭＳメッセージを配信する方法の流れ図３００を示す。
【００４１】
移動局１０１は、ｅＮｏｄｅＢ１０３にＵｐｌｉｎｋ  ＮＡＳ  Ｔｒａｎｓｐｏｒｔ  ＳＭＳメッセージ３０１を送ることによってＳＭＳを開始する。
【００４２】
ｅＮｏｄｅＢ１０３は、Ｕｐｌｉｎｋ  ＮＡＳ  Ｔｒａｎｓｐｏｒｔ  ＳＭＳメッセージ３０３を介してＭＭＥ１０５にＵｐｌｉｎｋ  ＮＡＳ  Ｔｒａｎｓｐｏｒｔ  ＳＭＳメッセージ２０１を渡す。
【００４３】
ＭＭＥ１０５は、ＭＳＣ１０７との間のＳＧｓ関連付けをチェックする。例示的実施形態では、ＭＭＥ１０５とＭＳＣ１０７との間のＳＧｓ関連付けはアクティブである。ＭＭＥ１０５は、ＳＧｓＡＰ  Ｕｐｌｉｎｋ  Ｕｎｉｄａｔａ（ＳＭＳ）３０５内にＵｐｌｉｎｋ  ＮＡＳ  Ｔｒａｎｓｐｏｒｔ  ＳＭＳメッセージ３０３をカプセル化し、ＭＳＣ１０７に送る。
【００４４】
この例示的実施形態では、ＭＭＥ１０５とＭＳＣ１０７との間のＭＳＣ１０７上のＳＧｓ関連付けが、現在設定されていない。第１の例示的実施形態では、例えばＶＬＲ過負荷制御または他の管理上の理由で、移動局１０１に関連するＶＬＲ記録が削除されるときに、このことが生じることがある。第２の例示的実施形態では、ＳＧｓ関連付けがＳＧｓ−ＮＵＬＬに等しいときに、このことが生じることがある。
【００４５】
典型的な通信システムでは、ＭＳＣ１０７はＳＭＳ要求を無視する。例示的実施形態によれば、ＭＳＣ１０７は、エラー・メッセージであるＳＧｓＡＰ  Ｓｔａｔｕｓ（不明ＩＭＳＩ）メッセージ３０７をＭＭＥ１０５に送る。メッセージ３０７は、ＭＭＥ１０５とＭＳＣ１０７との間のＭＳＣ１０７上のＳＧｓ関連付けが現在設定されていないことをＭＭＥ１０５に示す。
【００４６】
ＭＭＥ１０５でのＳＧｓＡＰ  Ｓｔａｔｕｓ（不明ＩＭＳＩ）メッセージ３０７を受信時に、ＭＭＥ１０５は、ＭＭＥ１０５でのＳＧｓ関連付けをＮＵＬＬに設定する。好ましくは、ＭＭＥ１０５はまた、移動局１０１に関するＭＳＣ／ＶＬＲ信頼性フラグを「ＦＡＬＳＥ」に設定する。
【００４７】
例示的実施形態によれば、移動局１０１は、ＴＡＵ（Ｔｒａｃｋｉｎｇ  Ａｒｅａ  Ｕｐｄａｔｅ）メッセージ３１１を、好ましくは組合せＴＡ／ＬＡ（トラッキング・エリア／ロケーション・エリア）更新と共に送る。
【００４８】
ｅＮｏｄｅＢ１０３は、ＴＡＵメッセージ３１３を介してＭＭＥ１０５にＴＡＵメッセージ３１１を渡す。
【００４９】
ＴＡＵメッセージ３１３に応答して、ＭＭＥ１０５は、ＭＳＣ１０７にＳＧｓＡＰ  Ｌｏｃａｔｉｏｎ  Ｕｐｄａｔｅメッセージ３１５を送る。ＳＧｓＡＰ  Ｌｏｃａｔｉｏｎ  Ｕｐｄａｔｅメッセージ３１５に応答して、ＭＳＣ１０７は、ＭＭＥ１０５とＭＳＣ１０７との間のＳＧｓ関連付けを再確立することができるように移動局１０１を再登録する。
【００５０】
例示的実施形態によれば、ここでＳＭＳメッセージが移動局１０１によって送られるとき、ＳＭＳメッセージを適切に配信することができるように、ＭＭＥ１０５とＭＳＣ１０７との間のＳＧｓ関連付けが適切に確立される。
【００５１】
本発明のいくつかの例によって本発明を説明したが、本発明が上記の説明に限定されるのではなく、以下の請求項に記載の範囲だけに限定されるものとする。
【図１】
0005484585.tif 000002
【図２】
0005484585.tif 000003
【図３】
0005484585.tif 000004